(57)【特許請求の範囲】
【請求項１】
通信線を介して接続された複数の照明器具から構成される照明制御システムに適用され、各照明器具の明るさを制御する明るさ制御装置であって、
前記照明器具の明るさを制御する制御部と、
対応する前記照明器具を所定のグループに分類するグループアドレスを記憶する記憶部と、
前記通信線を介して他の明るさ制御装置と情報の送受信を行う通信部と、
を備え、
前記制御部は、
前記グループアドレスが設定された場合に、当該設定されたグループアドレスを、前記通信部及び前記通信線を介して他の明るさ制御装置に送信するとともに、前記通信線及び前記通信部を介して他の明るさ制御装置のグループアドレスを受信することにより、当該明るさ制御装置が、他の明るさ制御装置に対する親機であるか子機であるかを判断する、
明るさ制御装置。
【請求項２】
請求項１に記載の明るさ制御装置であって、
前記制御部は、
前記グループアドレスが設定された場合に、当該設定されたグループアドレスを、前記通信部及び前記通信線を介して他の明るさ制御装置に送信した後、前記通信線及び前記通信部を介して他の明るさ制御装置のグループアドレスを受信したとき、当該受信したグループアドレスが、前記設定されたグループアドレスと同じ場合、自身の明るさ制御装置が、他の明るさ制御装置に対する親機であると判断する、明るさ制御装置。
【請求項３】
請求項１又は２に記載の明るさ制御装置を含む照明制御システム。
【発明の詳細な説明】
【技術分野】
【０００１】
本発明は、大きな照明空間に備えられたランプの明るさを連動して制御する明るさ制御装置、及び照明制御システムに関する。
【背景技術】
【０００２】
従来、オフィスのように、窓の周辺のみに外光が入る比較的大きな照明空間では、外光による窓際付近の明るさを照度センサで検出し、検出した明るさの分、窓際の照明器具の光出力を減らすように制御して省エネを実現する照明制御システムがある。
【０００３】
このような照明制御システムにおいて、窓際の照明器具を個別に制御すると輝度にばらつきが発生し、窓際付近が暗くなって使用者が不快に感じることがあった。これを回避するために、複数の照度センサで窓際付近の明るさを検出し、検出レベルを平均化した情報や、或いは照度センサに重み付けを行って検出した情報を基にして、照明器具を制御する照明制御システムがある。
【０００４】
また、複数の照明器具を集中制御するための親機を設け、照明器具や照度センサにそれぞれアドレスを設定し、親機は設定したアドレス情報をもとにして複数のセンサ情報を取りまとめ、取りまとめた情報でランプ負荷を制御する信号を生成して各照明器具に送信する集中制御型の照明制御システムがある。
【０００５】
さらに、人の存在を検出する人感センサのみを独立させて別の配線で親機と子機を接続するとともに、親機から照明器具を制御する信号線を配線し、人感センサで照明器具を制御するセンサシステムの例がある。
【０００６】
また、図７に示すように、各照明器具６１Ａ〜６１Ｄに人感センサ６２Ｂ〜６２Ｄをそれぞれ搭載し、人感センサ６２Ａ〜６２Ｄのいずれかで人を検出した場合は、自身の照明器具を制御すると同時に、検出情報を通信線６３上に送信する。これによって、他の照明器具と検出情報を共有し、他の照明器具も同様の制御を行う分散制御型の照明制御システムがある。
【０００７】
また、各照明器具に人感センサを搭載し、初めに人を検出した照明器具がその情報を通信線に送信することにより、その照明器具と他の照明器具とのグループ内における親子関係を決定する分散制御型の照明制御システムが提案されている（例えば、特許文献１参照）。
【０００８】
また、グループの設定に際して、同一グループ内に設定される最小グループ番号と、人感センサによる検出情報とを組み合わせることで、自動的にグループの設定を行う分散制御型の照明制御システムが提案されている（例えば、特許文献２参照）。
【０００９】
しかしながら、上記した集中制御型の照明制御システムでは、センサと照明器具の数が増えるに従って親機の負荷が重くなり、コストが上昇するという問題がある。また、センサ系統だけを独立させて、配線による物理的なセンサ親機により制御するような構成では、レイアウト変更等が生じるとその度にセンサ子機の配線を変える必要があり、場合によってはセンサ親機の増設等が発生するので、レイアウト変更に対する適応性が十分とは言えない。
【００１０】
一方、上記した分散制御型の照明制御システムにおいては、センサの検出結果がディジタル信号で出力される場合、例えば人感センサの場合はその検出結果によって点灯保持時間を制御することは可能であるが、センサの検出値がアナログ信号で出力される場合、例えば照度センサでは、制御のための明確なトリガが得られにくく、他の照明器具やセンサからの受信信号と自身の検出値を併せて処理する必要がある。また、タイミングが明確でないので、グループ内の検出値が極端に異なる場合は、制御している照明器具が明るくなったり暗くなったりしてふらつきが発生し、使用者が非常に困惑することが予想される。
【００１１】
上記の特許文献１に記載された例では、初めに人感センサで人を検出したものが親機となり、それ以外の同一グループの照明器具は子機になるというものであるが、アナログ信号のように明確なトリガがない場合では対応できない。また、特許文献２に記載されたように、人感センサの検出状態によりグループの自動設定を行うシステムでは、人感センサのように明確なトリガがないような場合は、正常に動作するシステムを構築することが困難である。
【００１２】
これらの問題を解決するために、例えば、図８に示すように、ランプ制御手段を備えた複数のランプ負荷Ｌ１、Ｌ２、Ｌｍと、明るさを検出するためのアナログセンサを備えた複数の明るさ制御端末Ａ１、Ａ２、Ａｎで構成される照明制御システムにおいて、グループＧ１の内の１台、例えば明るさ制御端末Ａ１を親機とし他の明るさ制御端末Ａ２、Ａｎを子機として、親機の明るさ制御端末Ａ１で子機の明るさ制御端末Ａ２、Ａｎから出力された複数の制御信号と自身の制御信号を基に統一した制御信号を作成し、通信線１を介して送信することにより、対応するランプ負荷Ｌ１、Ｌ２、Ｌｍを制御する例が提案されている（例えば、特許文献３参照）。
【００１３】
【特許文献１】特開平１０−１６２９６３号公報
【特許文献２】特開２００２−７５６６３号公報
【特許文献３】特開２００４−６３２１８号公報
【発明の開示】
【発明が解決しようとする課題】
【００１４】
しかしながら、上記の特許文献３に記載された例では、アナログセンサによってグループ制御を行うために、予め親機と子機が設定されていることが前提であり、かつ、この設定にスイッチ等による操作が必要である。
【００１５】
本発明は、上記従来の事情に鑑みてなされたもので、親機および子機の設定を必要とすることなく、複数の明るさ制御装置を連動させて複数の照明器具を制御することのできる明るさ制御装置および照明制御システムを提供することを目的とする。
【課題を解決するための手段】
【００１６】
本発明の明るさ制御装置は、通信線を介して接続された複数の照明器具から構成される照明制御システムに適用され、各照明器具の明るさを制御する明るさ制御装置であって、前記照明器具の明るさを制御する制御部と、対応する前記照明器具を所定のグループに分類するグループアドレスを記憶する記憶部と、前記通信線を介して他の明るさ制御装置と情報の送受信を行う通信部と、を備え、前記制御部は、前記グループアドレスが設定された場合に、当該設定されたグループアドレスを、前記通信部及び前記通信線を介して他の明るさ制御装置に送信するとともに、前記通信線及び前記通信部を介して他の明るさ制御装置のグループアドレスを受信することにより、当該明るさ制御装置が、他の明るさ制御装置に対する親機であるか子機であるかを判断するものである。
【００１７】
この構成により、グループアドレスを送受信することによって、親機又は子機の設定が可能となるので、設定のためのスイッチ等による操作が不必要となり、親子関係の設定が容易なものとなる。
【００１８】
また、本発明の一態様として、上記の明るさ制御装置において、前記制御部は、前記グループアドレスが設定された場合に、当該設定されたグループアドレスを、前記通信部及び前記通信線を介して他の明るさ制御装置に送信した後、前記通信線及び前記通信部を介して他の明るさ制御装置のグループアドレスを受信したとき、当該受信したグループアドレスが、前記設定されたグループアドレスと同じ場合、自身の明るさ制御装置が、他の明るさ制御装置に対する親機であると判断するものも含まれる。
【００１９】
この構成により、記憶部に設定されたグループアドレスが、後に受信した他の明るさ制御装置のグループアドレスと同一の場合は、自らが他の明るさ制御装置の親機であると判断するので、親子関係の設定が容易なものとなる。
【００２０】
本発明の照明制御システムは、上記の明るさ制御装置を含むものである。
【００２１】
この構成により、複数の明るさ制御装置について、親機及び子機の設定を必要とすることなく、複数の明るさ制御装置を連動させて複数の照明器具を制御することができる。
【発明の効果】
【００２２】
本発明によれば、親機および子機の設定を必要とすることなく、複数の明るさ制御装置を連動させて複数の照明器具を制御することができる明るさ制御装置および照明制御システムを提供できる。
【発明を実施するための最良の形態】
【００２３】
以下、本発明の実施の形態について、図面を用いて説明する。
【００２４】
（第１の実施形態）
図１は、本発明の第１の実施形態に係る照明制御システムの概略構成を示す図である。図１において、本実施形態の照明制御システムは、複数の照明器具Ｌ１、Ｌ２、・・・、Ｌｎと、複数の照度センサＳ１、Ｓ２、・・・、Ｓｎと、複数の明るさ制御装置Ｂ１、Ｂ２、・・・、Ｂｎを有する構成である。また、これらは、通信線１を介して相互に接続されると共に、電源線２を介して商用電源が供給されている。
【００２５】
図２は、照明器具Ｌ１の概略構成を示す図である。照明器具Ｌ１は、通信線１を介して明るさ制御装置Ｂ１との間で通信を行う通信部１１と、ＲＯＭ又はＲＡＭからなり、当該照明器具Ｌ１が属するグループＧ１のアドレスを記憶する記憶部１２と、蛍光灯や白熱等からなるランプ１４と、通信部１１で受信した制御信号に応じてランプ１４の光出力を制御するランプ制御部１３から構成される。なお、他の照明器具Ｌ２、・・・、Ｌｎも、照明器具Ｌ１と同様の構成を有しているので、その図示および説明は省略する。また、図２
では図１における電源線２の図示を省略してある。
【００２６】
各照明器具Ｌ１、Ｌ２、・・・、Ｌｎには、それぞれ自身の個別アドレスと、複数の照明器具Ｌ１、Ｌ２、・・・、Ｌｎの動作を一括して制御する場合に用いるグループアドレスとが割り当てられており、これら個別アドレス及びグループアドレスは記憶部１２に記憶されている。例えば、照明器具Ｌｍの場合には、個別アドレスとして「ｍｕ」が、またグループアドレスとして「ｍｇ」が記憶部１２に記憶されている。また、記憶部１２には、明るさ制御装置Ｂ１、Ｂ２、・・・、Ｂｎとの間の通信で使用するコマンド（制御信号）も記憶されており、例えば、ランプ１４を消灯（ＯＦＦ）させるコマンドとして「０」が、調光レベルを明るくするコマンドとして「１」が、調光レベルを暗くするコマンドとして「２」が、ランプ１４を点灯させるコマンドとして「３」が、それぞれ記憶されている。
【００２７】
明るさ制御装置Ｂ１、Ｂ２、・・・、Ｂｎから照明器具Ｌ１、Ｌ２、・・・、Ｌｎへ信号を送信する場合は、送信先の照明器具Ｌ１、Ｌ２、・・・、Ｌｎを個別に、或いはグループ単位で指定するためのアドレスデータと、制御データ又は制御コマンドを含む所定フォーマットの信号が用いられる。また、明るさ制御装置Ｂ１、Ｂ２、・・・、Ｂｎから信号を受信する場合は、アドレスデータとコマンドデータ、及び制御データ又は制御コマンドを含む所定フォーマットの信号が用いられる。
【００２８】
照明器具Ｌ１、Ｌ２、・・・、Ｌｎでは、通信部１１が明るさ制御装置Ｂ１、Ｂ２、・・・、Ｂｎから信号を受信すると、アドレスデータの内容を記憶部１２に記憶された自身の個別アドレス、又はグループアドレスと比較して一致した場合は、その後の制御データを読み込んでランプ制御部１３に出力し、ランプ制御部１３は制御データに従ってランプ１４を制御する。
【００２９】
例えば、通信部１１がアドレスデータとして「ｍｇ」を、コマンドデータとして「１」を含む信号を受信した場合は、調光レベルを現状よりも明るくさせる制御信号をランプ制御部１３に出力する。また、受信した信号のアドレスデータが「ｍｇ」又は「ｍｕ」以外の場合は、受信した信号を破棄する。なお、通信部１１からランプ制御部１３に出力される制御信号は、デューティ信号や直流電圧信号等である。
【００３０】
図３は、照度センサＳ１の概略構成を示す図であり、フォトダイオードＰＤが自身の制御範囲における照明空間の明るさに応じた電流を発生すると、抵抗Ｒ１とオペアンプＯＰ１とで構成される電流−電圧変換回路により電流値に比例した電圧信号に変換され、変換された電圧信号をＡ／Ｄコンバータ２１で８ビット又は１０ビットのディジタル信号に変換して明るさのデータを生成し、通信部２２に出力し、通信線１を介して対応する明るさ制御装置Ｂ１に明るさのデータを伝送する。なお、他の照度センサＳ２、・・・、Ｓｎも、照度センサＳ１と同様の構成を有しているので、その図示および説明は省略する。また、図３では図１における電源線２の図示を省略してある。
【００３１】
図４は、明るさ制御装置Ｂ１の概略構成を示す図である。同図において、明るさ制御装置Ｂ１は、通信線１を介して照明器具Ｌ１や照度センサＳ１、及び他の明るさ制御装置Ｂ２、・・・、Ｂｎとの間で通信を行う通信部３１と、自身及び他の明るさ制御装置のアドレス、通信で使用されるコマンド、対応する照明器具Ｌ１を所定のグループに分類するグループアドレス、自身の明るさ制御装置Ｂ１がグループの親機であるか子機であるかを判別する親子機情報が予め記憶された記憶部３２と、対応する照度センサＳ１から送信された自身の制御範囲における照明空間の明るさのデータと、他の明るさ制御装置Ｂ２、・・・、Ｂｎから送信された制御信号とに基づいて、対応する照明器具Ｌ１の明るさを制御するための制御データ又は制御コマンドを生成する制御部３３を有する構成である。なお、この制御部３３は、例えばマイコンにより構成される。また、他の明るさ制御装置Ｂ２、・・・、Ｂｎも、明るさ制御装置Ｂ１と同様の構成を有しているので、その図示および説明は省略する。また、図４では図１における電源線２の図示を省略してある。
【００３２】
記憶部３２には、後述するように、自身の明るさ制御装置がグループの子機である場合、対応する照明器具の明るさの設定目標となる明るさ目標値も記憶されている。明るさ目標値は、親機の対応する照度センサＳ１から得られた明るさのデータに対応するものである。
【００３３】
そして、記憶部３２に記憶されたグループアドレス、個別アドレスは自由に設定、変更可能である。照明制御システムの管理者は、例えば図示せぬ照明制御システムのセンター装置を用いて、これらの操作を行う。例えば、新しい明るさ制御装置Ｂ１が照明制御システム内に導入された場合であって、グループアドレスが記憶部３２に記憶されていない場合、管理者はセンター装置を介して、記憶部３２にグループアドレスを設定することが可能である。また、管理者が、明るさ制御装置Ｂ１のグループアドレスを、センター装置を介して従前のものから新しいものに変更した場合、記憶部３２に記憶されたグループアドレスが変更される。本明細書でいうアドレスの「設定」は、このような新しい機種の導入を伴わない従前のアドレスから新しいアドレスへの変更も含むものである。
【００３４】
明るさ制御装置Ｂ１の制御部３３は、管理者によりグループアドレスが設定された場合に、グループアドレスが設定された旨を示すグループアドレス設定通知を生成し、通信部３１、通信線１を介して他の明るさ制御装置Ｂ２、・・・、Ｂｎに送信する。
【００３５】
このとき、他の明るさ制御装置Ｂ２、・・・、Ｂｎの制御部３３は、通信部３１が通信線１を介して、照明制御システム内の他の明るさ制御装置Ｂ２、・・・、Ｂｎのグループアドレスが変更されたことを示すグループアドレス設定通知を受信し、設定されたグループアドレスを記憶部３２に記憶する。
【００３６】
その後、管理者が、他の明るさ制御装置Ｂ２、・・・、Ｂｎのグループアドレスを設定（変更）すると、新たなグループアドレスが記憶部３２に記憶される。そして、新たに記憶部３２に記憶されたグループアドレスが、記憶した明るさ制御装置Ｂ１の新しいグループアドレスと同一のものであった場合、制御部３３は、自身の明るさ制御装置Ｂ２、・・・、Ｂｎが、明るさ制御装置Ｂ１の子機であると判断し、記憶部３２の親子機情報を「子機」に設定する。なお、対応する照明器具の明るさの設定目標となる明るさ目標値は、自身の明るさ制御装置が子機であると判断してから親機の明るさ制御装置から取得しても良いし、判断前に予め取得しておいても良い。取得された明るさ目標値は、記憶部３２に記憶される。
【００３７】
さらにその後、明るさ制御装置Ｂ１の制御部３３が、通信部３１を介して他の明るさ制御装置Ｂ２、・・・、Ｂｎのグループアドレスを受信した場合、自身がグループＧ１の中で親機であるか、子機であるかを判断するが、上記のように他の明るさ制御装置Ｂ２、・・・、Ｂｎから受信したグループアドレスが、自身の設定されたグループアドレスと同じである場合、制御部３３は、自身の明るさ制御装置Ｂ１が、グループＧ１の親機であると判断し、記憶部３２の親子機情報を「親機」に設定する。
【００３８】
例えば、明るさ制御装置Ｂ１においてグループＧ１のグループアドレス「ｍｇ」が設定された場合に、制御部３３は、グループアドレス「ｍｇ」の設定通知を生成し、これを通信部３１に送り、通信線１を介して他の明るさ制御装置Ｂ２、・・・、Ｂｎに送信する。その後、明るさ制御装置Ｂ１の制御部３３が、通信部３１を介して他の明るさ制御装置Ｂ２、・・・、Ｂｎのグループアドレス「ｍｇ」を受信した場合、自身がグループＧ１の親機であると判断し、記憶部３２の親子機情報を「親機」に設定する。
【００３９】
一方、他の明るさ制御装置Ｂ２、・・・、Ｂｎおいても、管理者の操作によりグループＧ１のグループアドレス「ｍｇ」が設定された場合、制御部３３は、自身の明るさ制御装置Ｂ２、・・・、ＢｎがグループＧ１の子機であると判断する。
【００４０】
このようにして、自身が子機であると判断した例えば明るさ制御装置Ｂ２の制御部３３は、それぞれ以下のような処理を実行する。すなわち、制御部３３は、照度センサＳ２から通信線１を介して入力された明るさのデータに対応した実際の明るさと、記憶部３２に記憶された明るさ目標値とを随時比較し、実際の明るさが目標値よりも明るい場合は、通信部３１と通信線１を介して照明器具Ｌ２に調光レベルを暗くする制御信号「２」を出力する。一方、目標値よりも暗い場合は、照明器具の調光レベルを明るくする制御信号「１」を出力する。なお、照度センサＳ２で検出した明るさが目標値と略同じ場合は、通信部３１から信号を送信しないように制御する。また、通信線１に接続された照明器具Ｌ１、・・・、Ｌｎも明るさ制御装置Ｂ２から送信された制御信号を受信するが、信号のフォーマットが照明器具Ｌ１、・・・、Ｌｎ宛とは異なっているので、受信した信号を破棄する。
【００４１】
また、親機である明るさ制御装置Ｂ１は、他の明るさ制御装置Ｂ２、・・・、Ｂｎから出力された制御信号を通信部３１が受信すると、制御部３３でその制御信号をカウントするとともに、カウント動作を行う一定時間を計時するタイマを起動する。タイマは、同じグループに属する明るさ制御装置Ｂ２、・・・、Ｂｎから受信した制御信号をカウントしており、タイマによる一定時間の計時動作が終了した時点で、自身の照度センサＳ１の検出結果をもとに、調光レベルを明るくする要求か、暗くする要求かを決定し、その結果を制御部３３でカウントする。
【００４２】
このように、制御部３３は、自身も含めて同じグループに属する全ての明るさ制御装置Ｂ１、Ｂ２、・・・、Ｂｎから一定時間内に出力された制御信号をカウントしており、そのカウント結果をもとにグループＧ１内の統一した制御信号を作成し、調光レベルを明るくするか、暗くするか、或いは現状維持の何れかに決定する。
【００４３】
例えば、親機である明るさ制御装置Ｂ１が、明るさ制御装置Ｂ２、・・・、Ｂｎ−１から調光レベルを明るくする制御信号「１」を受信した際、タイマの動作中に明るさ制御装置Ｂｎからの調光レベルを明るくする制御信号を受信したとすると、制御信号をカウントした調光レベルを明るくする制御信号の数がｎ−１になる。この時、グループＧ１内の全ての子機から要求信号を受信できたので、親機である明るさ制御装置Ｂ１は、タイマの計時動作を終了させ、照度センサＳ１の検出結果をもとに、調光レベルを明るくする要求か暗くする要求かを判断する。ここで、照度センサＳ１の検出結果が調光レベルを明るくする要求であれば、同じグループに属する３つの明るさ制御装置Ｂ１、・・・、Ｂｎが全て明るくする要求を出力したことになるので、制御部３３は、通信部３１から制御対象の照明器具Ｌ１、・・・、Ｌｎに対して、調光レベルを明るくする要求信号を出力する。また、明るさ制御装置Ｂｎの制御部３３が現状維持と判断して要求信号を出力しなかった場合、親機である明るさ制御装置Ｂ１は、一定時間の経過後にタイマの動作を停止させ、制御部３３により以下のような処理を行う。
【００４４】
すなわち、親機である明るさ制御装置Ｂ１の属するグループＧ１内の全ての明るさ制御装置の台数をＪ、カウントされた制御信号の数をＫとすると、同じグループ内で制御信号を出力した明るさ制御装置の数（Ｋ）が出力しなかった明るさ制御装置の数（Ｊ−Ｋ）よりも多く、且つ、調光レベルを暗くする要求が明るくする要求より多ければ、全ての照明器具に調光レベルを暗くする要求信号を送信し、制御信号を出力した明るさ制御装置の数（Ｋ）が出力しなかった明るさ制御装置の数（Ｊ−Ｋ）より少なく、且つ、調光レベルを暗くする要求が明るくする要求より少なければ、調光レベルを明るくする要求信号を送信する。また、上記の条件が何れも成立しなければコマンドを送信しない。
【００４５】
また、子機である明るさ制御装置Ｂ２、・・・、Ｂｎから調光レベルを明るくする要求、又は暗くする要求の何れも受信していない時に、親機である明るさ制御装置Ｂ１の制御部３３から調光レベルを暗くする要求、又は明るくする要求を発生した場合は、親機である明るさ制御装置Ｂ１によって所定のフォーマットで信号を出力するようにすれば、この信号に応じて子機である明るさ制御装置Ｂ２、・・・、Ｂｎに上述の制御動作を行わせることができ、また同時に、タイマによる計時動作を開始させて、その動作中にコマンドのカウント動作を行うことで、一定時間が経過した時点で上述の判断処理を行うことができる。
【００４６】
以上説明したように、このような本発明の第１の実施形態に係る明るさ制御装置によれば、グループアドレスが設定された場合に、設定されたグループアドレスを通信線１を介して送信したか、或いは受信したかにより、自身がグループＧ１の中で親機であるか、子機であるかを判断する。明るさ制御装置自身による親機又は子機の設定が可能となるので、設定のためのスイッチ等による操作が不必要となり、親子関係の設定が容易なものとなる。また、設定された親子関係に従って複数の明るさ制御装置を連動して動作させ、複数の照明器具を制御することができる。
【００４７】
そして例えば、親機であると判断した明るさ制御装置Ｂ１の制御部３３に連動部の機能を持たせ、同じグループ内の明るさ制御装置Ｂ１、Ｂ２、・・・、Ｂｎから出力された制御信号の内、最も数が多い種類の制御信号をグループ内の統一した制御信号として、制御対象の照明器具Ｌ１、Ｌ２、・・・、Ｌｎの動作を制御する。これにより、複数の明るさ制御装置Ｂ１、Ｂ２、Ｂｎを連動して動作させることができ、明るさ制御装置Ｂ１、Ｂ２、・・・、Ｂｎでそれぞれ制御される照明器具Ｌ１、Ｌ２、・・・、Ｌｎの明るさがばらつくのを防止することができる。
【００４８】
また、各明るさ制御装置Ｂ１、Ｂ２、・・・、Ｂｎで明るさの目標値に対する明暗を判定して、調光レベルを明るくする要求、又は暗くする要求を出力し、連動部としての制御部３３でカウントした値をもとにして、最も数の多い要求信号を統一した制御信号とするので、複雑な演算を行う必要がなく、演算能力の低い安価なマイコンで制御部３３を構成することできる。
【００４９】
さらに、グループアドレスを設定するだけで親子関係を判断するので、予め連動させたい照度センサを同一グループに設定していくだけで親子関係の設定が完了し、親子関係情報の設定間違いを防ぐことができる。
【００５０】
（第２の実施形態）
図５は、本発明の第２の実施形態に係る照明制御システムの概略構成を示す図である。図５において、本実施形態の照明制御システムは、それぞれ照度センサが組み込まれた複数の照明器具ＬＳ１、ＬＳ２、・・・、ＬＳｎと、第１の実施形態において説明したと同様の複数の明るさ制御装置Ｂ１、Ｂ２、・・・、Ｂｎを有する構成である。また、これらは、通信線１を介して相互に接続されると共に、電源線２を介して商用電源が供給されている。
【００５１】
図６は、照明器具ＬＳ１の概略構成を示す図である。照明器具ＬＳ１は、通信線１を介して明るさ制御装置Ｂ１との間で通信を行う通信部４１と、ＲＯＭ又はＲＡＭからなり、当該照明器具ＬＳ１が属するグループＧ１のアドレスを記憶する記憶部４２と、蛍光灯または白熱灯からなるランプ４４と、照度センサＳ１で自身の制御範囲における照明空間の明るさを検出した信号、又は通信部４１で受信した制御信号に応じてランプ４４の光出力を制御するランプ制御部４３から構成される。なお、他の照明器具ＬＳ２、ＬＳ３、・・・、ＬＳｎも、照明器具ＬＳ１と同様の構成を有しているので、その説明は省略する。また、図６では図５における電源線２の図示を省略してある。
【００５２】
図６において、明るさ制御装置Ｂ１の制御部３３は、第１の実施形態において説明したと同様に動作するので、その説明は省略する。
【００５３】
以上説明したように、このような本発明の第２の実施形態に係る明るさ制御装置によれば、第１の実施形態と同様に、明るさ制御装置自身による親機又は子機の設定が可能となるので、設定のためのスイッチ等による操作が不必要となり、親子関係の設定が容易なものとなる。また、設定された親子関係に従って複数の明るさ制御装置を連動して動作させ、複数の照明器具を制御することができる。さらに、複数の明るさ制御装置Ｂ１、Ｂ２、・・・Ｂｎを連動して動作させることができ、明るさ制御装置Ｂ１、Ｂ２、・・・、Ｂｎでそれぞれ制御される照明器具ＬＳ１、ＬＳ２、・・・、ＬＳｎの明るさがばらつくのを防止することが可能となる。
【００５４】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５５】
本発明の明るさ制御装置は、親機および子機の設定を必要とすることなく、複数の明るさ制御装置を連動させて複数の照明器具を制御することのできる明るさ制御装置および照明制御システムを提供できる効果を有し、ビルや地下街などにおける大規模な照明制御システム等に有用である。
【図面の簡単な説明】
【００５６】
【図１】本発明の第１の実施形態に係る照明制御システムの概略構成を示す図
【図２】本発明の第１の実施形態に係る照明器具の概略構成を示す図
【図３】本発明の第１の実施形態に係る照度センサの概略構成を示す図
【図４】本発明の第１の実施形態に係る明るさ制御装置の概略構成を示す図
【図５】本発明の第２の実施形態に係る照明制御システムの概略構成を示す図
【図６】本発明の第２の実施形態に係る照明器具の概略構成を示す図
【図７】従来の人感センサで照明器具を制御するセンサシステムの構成を示す図
【図８】従来の照明制御システムの構成を示す図
【符号の説明】
【００５７】
１  通信線
Ｂ１、Ｂ２、・・・、Ｂｎ  明るさ制御装置
Ｓ１、Ｓ２、・・・、Ｓｎ  照度センサ
Ｌ１、Ｌ２、・・・、Ｌｎ  照明器具
ＬＳ１、ＬＳ２、・・・、ＬＳｎ  照明器具
３１  通信部
３２  記憶部
３３  制御部
【図１】
0004972519.tif 000002
【図２】
0004972519.tif 000003
【図３】
0004972519.tif 000004
【図４】
0004972519.tif 000005
【図５】
0004972519.tif 000006
【図６】
0004972519.tif 000007
【図７】
0004972519.tif 000008
【図８】
0004972519.tif 000009